(57)【要約】【課題】  メニュー選択時のキーリピート制御中にメニューの切替速度が低下せず、使用感のよい携帯端末、コンピュータの制御方法及びプログラムを提供する。【解決手段】  操作部１２の再生キーを押下すると、着信メロディ設定画面においてカーソルが表示されて選択された音声メニューを再生，表示制御部２２が再生する。この時、上下キーが長押しされていると、カーソルが表示部１０のメニュー選択画面において上方向または下方向にスクロールされ、メニューの選択が行われる。このとき、再生中の音声データは変更されず、音声再生処理のためにＣＰＵに過大な負荷がかかることを回避できる。【選択図】        図１
2006065713.tif 000002
【特許請求の範囲】
【請求項１】
画面表示されたメニューから所望のデータを選択できる選択画面を有する携帯端末であって、
前記選択画面において選択表示がなされたデータを再生する再生制御手段と、
前記選択表示が切り替えられたときに、再生するデータを前記選択表示に応じて変更する再生メニュー変更手段と、
データ選択入力キーが長押しされた場合に、表示画面上の前記選択表示をスクロールするスクロール制御手段と、
前記スクロール中に、前記再生メニュー変更手段による、再生するデータの変更処理を抑制する変更抑制手段と、
を備えることを特徴とする携帯端末。
【請求項２】
請求項１記載の携帯端末において、前記変更抑制手段は、前記長押しされたキーが解放されたときに変更処理の抑制を解除することを特徴とする携帯端末。
【請求項３】
画面表示された選択画面において選択表示がなされたメニューのデータを再生するステップと、
前記選択表示が切り替えられたときに、再生するデータを前記選択表示に応じて変更するステップと、
データ選択入力キーが長押しされた場合に、表示画面上の前記選択表示をスクロールするステップと、
前記スクロール中に、前記再生するデータの変更処理を抑制するステップと、を備えることを特徴とするコンピュータの制御方法。
【請求項４】
コンピュータを、
画面表示された選択画面において選択表示がなされたメニューのデータを再生する再生制御手段、
前記選択表示が切り替えられたときに、再生するデータを前記選択表示に応じて変更する再生メニュー変更手段、
データ選択入力キーが長押しされた場合に、表示画面上の前記選択表示をスクロールするスクロール制御手段、及び
前記スクロール中に、前記再生メニュー変更手段による、再生するデータの変更処理を抑制する変更抑制手段、
として動作させることを特徴とするプログラム。
【発明の詳細な説明】
【技術分野】
【０００１】
本発明は、メニュー選択画面を有する携帯端末におけるメニュー選択制御の改良に関する。
【背景技術】
【０００２】
従来より、携帯端末の同一キーに割り当てられた処理を連続して複数回入力したい場合に、当該キーを所定時間以上押し続ける、いわゆる長押しをすると、一定時間間隔毎に順次所定の処理が実行されるキーリピート制御が実用化されている。このキーリピート制御は、メニューの選択画面を有する携帯端末において、所望のメニューを選択する制御にも使用されている。
【０００３】
例えば、下記特許文献１には、一定時間を超えて長押しが継続すると、処理が実行される時間間隔が短縮されるキーリピート制御が開示されている。
【特許文献１】特開２００３−１６２３５６号公報
【発明の開示】
【発明が解決しようとする課題】
【０００４】
しかし、上記従来の技術においては、キーに大容量の処理、例えば音声メニューの切替、選択が割り当てられている場合、キーリピート制御でカーソル等の選択表示が切り替えられると、その都度音声データを再生する処理及び停止する処理が実行される。このため、ＣＰＵへの負荷が大きくなり、カーソルの移動に処理が追いつかず、音声メニューの切替が遅くなるという問題があった。
【０００５】
また、キーの長押し時のキーリピート制御中に、上記のように音声データを再生する処理が実行されるので、使用者にとって不要な曲目が短時間（数ミリセコンド）再生されてしまい、使用者に不快感を与えるという問題もあった。
【０００６】
本発明は、上記従来の課題に鑑みなされたものであり、その目的は、メニュー選択時のキーリピート制御中にメニューの切替速度が低下せず、使用感のよい携帯端末、コンピュータの制御方法及びプログラムを提供することにある。
【課題を解決するための手段】
【０００７】
上記目的を達成するために、本発明は、画面表示されたメニューから所望のデータを選択できる選択画面を有する携帯端末であって、前記選択画面において選択表示がなされたデータを再生する再生制御手段と、前記選択表示が切り替えられたときに、再生するデータを前記選択表示に応じて変更する再生メニュー変更手段と、データ選択入力キーが長押しされた場合に、表示画面上の前記選択表示をスクロールするスクロール制御手段と、前記選択表示のスクロール中に、前記再生メニュー変更手段による、再生するデータの変更処理を抑制する変更抑制手段と、を備えることを特徴とする。ここで、上記変更抑制手段は、前記長押しされたキーが解放されたときに変更処理の抑制を解除するのが好適である。
【０００８】
また、本発明は、コンピュータの制御方法であって、画面表示された選択画面において選択表示がなされたメニューのデータを再生するステップと、前記選択表示が切り替えられたときに、再生するデータを前記選択表示に応じて変更するステップと、データ選択入力キーが長押しされた場合に、表示画面上の前記選択表示をスクロールするステップと、前記スクロール中に、前記再生するデータの変更処理を抑制するステップと、を備えることを特徴とする。
【０００９】
また、本発明は、コンピュータを、画面表示された選択画面において選択表示がなされたメニューのデータを再生する再生制御手段、前記選択表示が切り替えられたときに、再生するデータを前記選択表示に応じて変更する再生メニュー変更手段、データ選択入力キーが長押しされた場合に、表示画面上の前記選択表示をスクロールするスクロール制御手段、及び前記スクロール中に、前記再生メニュー変更手段による、再生するデータの変更処理を抑制する変更抑制手段、として動作させるプログラムであることを特徴とする。
【発明の効果】
【００１０】
本発明によれば、入力キーを長押しして表示画面上の選択表示をスクロールするときに、再生メニュー変更手段による再生するデータの変更処理を抑制するので、メニューの切替速度が低下しない。
【発明を実施するための最良の形態】
【００１１】
以下、本発明を実施するための最良の形態（以下、実施形態という）を、図面に従って説明する。
【００１２】
図１には、本発明にかかる携帯端末の一実施形態の構成のブロック図が示される。図１において、携帯端末は、表示部１０、音声出力部１１、操作部１２、記憶部１４、時間計測部１６、通信部１８及び制御部２０で構成されている。
【００１３】
表示部１０は、例えば液晶ディスプレイ等で構成され、文字データ等のキー入力の内容、各種図形等を表示する。また、音声出力部１１は、例えばブザー、スピーカ等で構成され、所定の音声を出力する。
【００１４】
上記キー入力は、図１の操作部１２により行う。この操作部１２は、例えば携帯端末の操作ボタン等により構成される。
【００１５】
記憶部１４は、例えば制御部２０の作業用のＲＡＭ、不揮発性メモリとしてのＥＥＰＲＯＭ、磁気記憶媒体等で構成されており、キー入力の内容等の各種データ及びプログラム等が記憶される。
【００１６】
時間計測部１６は、タイマ等の計時機能を含んだ構成とされており、携帯端末の制御を行う際に必要となる時間データの計測を行う。
【００１７】
通信部１８は、公知の方法により基地局と通信して携帯通信端末としての通話機能を実現している。なお、本発明をＰＤＡ（パーソナルデジタルアシスタンス）等に適用した場合には、通信部１８は必ずしも必要ではない。
【００１８】
制御部２０は、例えばＣＰＵ等で構成され、表示部１０、音声出力部１１、操作部１２、記憶部１４、時間計測部１６及び通信部１８とデータのやり取りを行いながらこれらの動作を制御する。
【００１９】
制御部２０の再生，表示制御部２２は、主として表示部１０に表示される内容及び音声出力部１１からの音声出力を制御する。また、スクロール制御部２４は、キーを長押ししたときに、カーソル等の選択表示をスクロール、すなわち所定の順序で連続的に表示個所を切り替えて行く制御等を行う。判定部２６は、ユーザがキーを押下したか否か、時間計測部１６のタイマーが終了したか否か等を判定するための制御を行う。
【００２０】
なお、上述した制御部２０は、ＣＰＵを中心として構成されたコンピュータであってよく、この場合、メモリカードその他の媒体に格納されたプログラムをＣＰＵが実行することで制御部２０の各機能が実現される。
【００２１】
図２、図３には、本発明にかかる携帯端末の動作のフローが示される。また、図４には、図１に示された表示部１０の表示画面に表示されたメニュー選択画面の例が示される。ここでは、メニュー選択画面として、着信メロディ設定画面が示されている。
【００２２】
図２において、上記図４の着信メロディ設定画面が表示された状態で、操作部１２の再生キーを押下すると（Ｓ１）、音声再生処理がコールされ（Ｓ２）、着信メロディ設定画面において選択された、メニュー（曲名）を表すカーソル２８が表示された曲を、再生，表示制御部２２が再生する。この場合の再生，表示制御部２２が、本発明の再生制御手段として機能している。なお、音声再生処理は、図３において後述する。
【００２３】
次に、カーソル２８を着信メロディ設定画面の上下に移動させるための上下キーが上方向または下方向に押下されたと判定部２６が判定すると（Ｓ３）、時間計測部１６の長押しタイマ、すなわちキーが長押しされたか否かを判断するためのタイマがオン（ＯＮ）とされる（Ｓ４）。なお、上下キーは操作部１２に割り付けられている。
【００２４】
また、Ｓ３で上下キーが押下されると、スクロール制御部２４が、再生，表示制御部２２と協働して現在表示されているカーソル２８を消去し（Ｓ５）、押下された上下キーの方向の隣の曲名にカーソル２８を作成する制御を行う（Ｓ６）。このＳ５、Ｓ６の処理により、カーソル２８が押下された上下キーの方向に移動する処理が実行される。
【００２５】
以上の状態で、長押しタイマがオフ（ＯＦＦ）となったか（Ｓ７）、及び上下キーが解放されたか（Ｓ８）を判定部２６が判定する。上下キーが解放されず長押しタイマがオフとなると、上下キーが長押しされたことを意味し、再度Ｓ４からの処理を実行する。これにより、一定間隔（長押しタイマの設定時間毎）にカーソル２８は、図４に示された着信メロディ設定画面上で上方向または下方向にスクロールされ、キーリピート制御が実行される。この場合、音声再生処理が再起動されず、Ｓ２で起動された音声再生処理で再生された音声データの再生が続行される。従って、使用者にとって不要な曲目が再生されることがない。また、ＣＰＵはカーソル２８をスクロールするだけであり、音声再生処理の停止、起動を実行する必要がないので、メニュー選択時のキーリピート制御中にメニューの切替速度（カーソルのスクロール速度）が低下することを回避できる。このように、カーソル２８のスクロール中に音声データの変更処理を行わない制御を実行する再生，表示制御部２２及びスクロール制御部２４は、本発明の変更抑制手段として機能している。
【００２６】
一方、長押しタイマがオフとなる前に上下キーが解放されると、再生，表示制御部２２が現在再生中の音声データの再生を停止し（Ｓ９）、Ｓ２で起動した音声再生処理アプリケーションが終了する（Ｓ１０）。その後、あらためて音声再生処理がコールされ（Ｓ１１）、再度Ｓ３からの処理を実行する。Ｓ９からＳ１１までの処理では、再生，表示制御部２２が、現在カーソル２８が表示されている曲名に応じて、再生する音声データを変更する。この場合の再生，表示制御部２２が、本発明の再生メニュー変更手段として機能している。
【００２７】
図３には、図２のＳ２に示された音声再生処理の動作のフローが示される。図３において、音声再生処理がコールされると、再生，表示制御部２２が、音声再生処理の終了まで他クラスからの割り込みを禁止するために割り込み禁止設定を行う（Ｓ１０１）。
【００２８】
次に、再生，表示制御部２２が、音声データを再生するための音声再生処理アプリケーションを起動する（Ｓ１０２）。
【００２９】
再生，表示制御部２２は、上記音声再生処理アプリケーションの動作により、図４に示されたカーソル２８が表示されている音声データのファイル名を取得し（Ｓ１０３）、記憶部１４にアクセスして（Ｓ１０４）、当該ファイル名に対応した音声データを記憶部１４から読み出す（Ｓ１０５）。
【００３０】
次に、再生，表示制御部２２は、上記読み出した音声データを再生し（Ｓ１０６）、割り込み禁止設定を解除する（Ｓ１０７）。
【００３１】
以上により、音声再生処理が終了する。
【図面の簡単な説明】
【００３２】
【図１】本発明にかかる携帯端末の一実施形態の構成のブロック図である。
【図２】本発明にかかる携帯端末の動作のフローを示す図である。
【図３】本発明にかかる携帯端末の動作のフローを示す図である。
【図４】図１に示された表示部の表示画面に表示されたメニュー選択画面の例を示す図である。
【符号の説明】
【００３３】
１０  表示部、１１  音声出力部、１２  操作部、１４  記憶部、１６  時間計測部、１８  通信部、２０  制御部、２２  再生，表示制御部、２４  スクロール制御部、２６  判定部、２８  カーソル。
【図１】
2006065713.tif 000003
【図２】
2006065713.tif 000004
【図３】
2006065713.tif 000005
【図４】
2006065713.tif 000006